(57)【要約】【課題】  本発明は、任意の傾斜角度に施工される笠木の端部にエンド部材を強固に支持・固定できる手摺を提供することにある。【解決手段】  笠木１と支柱２とエンド部材３とを備え、笠木１は、長手方向の端部Ｐにエンド部材３の一端部を固定してあり、支柱２は、上端に笠木１の長手方向の任意の位置を水平軸回りの任意の角度で固定するものであり、エンド部材３は、支柱２の長手方向の任意の位置に当接する湾曲状部１４を有し、湾曲状部１４は、湾曲方向に沿う長孔１６を有し、長孔１６に挿通した固定具１７で支柱２の長手方向の任意の位置に固定してあることを特徴とする。【選択図】      図１
2008240280.tif 000002
【特許請求の範囲】
【請求項１】
笠木と支柱とエンド部材とを備え、笠木は、長手方向の端部にエンド部材の一端部を固定してあり、支柱は、上端に笠木の長手方向の任意の位置を水平軸回りの任意の角度で固定するものであり、エンド部材は、支柱の長手方向の任意の位置に当接する湾曲状部を有し、湾曲状部は、湾曲方向に沿う長孔を有し、長孔に挿通した固定具で支柱の長手方向の任意の位置に固定してあることを特徴とする手摺。
【発明の詳細な説明】
【技術分野】
【０００１】
本発明は、階段やベランダ、フェンス、スロープ、廊下等に取り付ける手摺に関するものである。
【背景技術】
【０００２】
屋内外の階段手摺やベランダやフェンスの欄干などの笠木の端部には、特開２００５−３１４９９０のように、通常エンド部材を取り付けるものであった。この種のエンド部材は、笠木の端部の一点で支持・固定するものが一般的であったが、エンド部材を取り付ける箇所は、例えば階段の登り（降り）口等の人や物の往来が頻繁な箇所であったから、エンド部材に人や物が接触することが多く、このことから、一点でエンド部材を支持するのみでは耐久性にやや不安があった。また手摺における笠木の傾斜角度は、施工現場等において任意であった。
【特許文献１】特開２００５−３１４９９０
【発明の開示】
【発明が解決しようとする課題】
【０００３】
本発明は以上に述べたような実情に鑑み、任意の傾斜角度に施工される笠木の端部にエンド部材を強固に支持・固定できる手摺を提供することにある。
【課題を解決するための手段】
【０００４】
本発明は、笠木と支柱とエンド部材とを備え、笠木は、長手方向の端部にエンド部材の一端部を固定してあり、支柱は、上端に笠木の長手方向の任意の位置を水平軸回りの任意の角度で固定するものであり、エンド部材は、支柱の長手方向の任意の位置に当接する湾曲状部を有し、湾曲状部は、湾曲方向に沿う長孔を有し、長孔に挿通した固定具で支柱の長手方向の任意の位置に固定してあることを特徴とする。
【発明の効果】
【０００５】
本発明によれば、エンド部材の支柱との当接部を湾曲状とし、その湾曲状部には湾曲方向に沿う長孔を有することから、エンド部材を笠木の端部に固定して笠木の傾斜角度を適宜変更しても、エンド部材の湾曲状部の支柱との当接箇所を支点とした水平軸回転に対応して、長孔の一部を含んだ湾曲状部のいずれかの部位が支柱側にある固定具の被固定部に対して常に当接する。これにより、長孔に対して支柱と直交する方向に固定具を差し込んで被固定部に固定できるので、笠木の端部と支柱の二点でエンド部材を支持・固定でき、且つ一種類のエンド部材で様々な傾斜角度の笠木に対応して取り付けできる。
【発明を実施するための最良の形態】
【０００６】
以下、本発明の手摺をフェンスとしたときの実施形態を図面に基づいて説明する。
図１（ａ）は、本発明の手摺を平らな場所に取り付けた状態を示す一部を切欠した正面図であり、図１（ｂ）は、本発明の手摺を傾斜した場所に取り付けた状態を示す一部を切欠した正面図であり、図２は、手摺笠木の傾斜角度を変更したときの施工状態を示す分解斜視図である。
【０００７】
本手摺は、図１（ａ）（ｂ）のように、水平地や傾斜地に取り付けるものであり、笠木１と支柱２とエンド部材３とからなっている。笠木１は、断面形状が略円形をなす中空押出部材であって長手方向の端部Ｐが開口し、この開口部によりエンド部材３の被取付部を形成している。また笠木１の下部は、図２のように、笠木１の長手方向に沿って下向きに開口する凹溝７が形成してある。支柱２は、水平地や傾斜地の地面（図示省略）から垂直に起立するものであり、支柱２の上端部には、締付ネジ８により水平軸回転自在な連結部４が取り付けてある。連結部４は、断面略円形をなす内部材９の両側端面を半球状の外部材１０で挟んで略球状に形成するものであり、内部材９と２つの外部材１０とは前述の締付ネジ８で軸支してあり、内部材９が水平軸回転するとともに、締付ネジ８を強く締付けると、両側の外部材１０で内部材９を挟んで連結部４に取り付けた笠木１の傾斜角度を固定することができる。内部材９の周面には、略９０°間隔に２本のアーム５が笠木１の下部まで突出しており、さらに２本のアーム５の突出先端部に跨る状態で扁平な平板状をなす板部材１１を溶接しており、板部材１１が笠木１の凹溝７に沿って摺動自在に嵌り込んでおり、笠木１の傾斜角度により笠木１の長手方向の任意の位置で固定できるものである。一方、支柱２の側周面の長手方向の中間部には、ネジ込み部１２（固定具１７の被固定部）を有している。ネジ込み部１２は、支柱２上端部の連結部４を基点とする笠木１の傾斜角度により、エンド部材３と支柱２との取付位置が変わることに対応して、支柱２の長手方向の任意の位置に設けるものである（図１（ａ）（ｂ）参照）。エンド部材３は、正面から見て全体が略Ｓ字型をなすものであり、エンド部材３の笠木１に寄る側の端部Ｑには、笠木取付部１３を有している。笠木取付部１３は、エンド部材３の端部Ｑから垂直に張り出した鍔部２３と、鍔部２３の中心から笠木１の端部Ｐの開口部に向けて突出する差込部１５とを有しており、鍔部２３は、エンド部材３を取り付け易くすることと笠木１の端部Ｐの開口部を塞ぐ手段を兼ねるものである。一方、エンド部材３の支柱２側に最も近接する箇所は、湾曲状部１４となっており、湾曲状部１４は、支柱２に向けて突出し、且つ支柱２の長手方向に沿って凸状に湾曲するものであり、エンド部材３の支柱２の反対側の側方から支柱２のネジ込み部１２と対峙する側まで貫通する長孔１６を有している。長孔１６は、固定具１７を挿通するものであり、湾曲状部１４の湾曲方向もしくは支柱２の長手方向に沿って長く形成してあり、固定具１７は、長孔１６の長手方向のいずれかの箇所に挿通することができる。また、ネジ込み部１２に固定具１７を取り付けるときには、支柱２の内部にターンナット１８を設けるものであり、ネジ込み部１２を通った固定具１７の差込先端部は、ターンナット１８と締結してエンド部材３と支柱２とを挟んで固定する。
【０００８】
次に、本手摺の施工手順を以下に説明する。
図２にように、第１の手順として、水平もしくは傾斜した地面（または床面）に支柱２を起立する。第２の手順として、支柱２の上端部にて水平軸回転自在に連結する連結部４の板部材１１に、笠木１の凹溝７をスライド式に嵌め込む。第３の手順として、笠木１の端部Ｐの被取付部１９にエンド部材３の笠木取付部１３を差し込み、このとき、笠木取付部１３および被取付部１９に有する垂直方向に重合した各ネジ孔２１，２２に、ネジ２０をネジ込んで笠木１とエンド部材３とを固定する。第４の手順として、締付ネジ８を中心に連結部４を水平軸回転し、笠木１を任意の傾斜角度に傾けたときに、エンド部材３の湾曲状部１４が支柱２の側周面の中間部に当接する。このとき、支柱２の湾曲状部１４が当たる箇所に下孔を開けてターンナット１８を取り付けてネジ込み部１２を設けるとともに、笠木１と連結部４の板部材１１とを固定ネジ２４で固定する。第５の手順として、長孔１６に固定具１７を挿通し、固定具１７の先端部をターンナット１８に締結する。このとき、固定具１７が水平となるように長孔１６に対して挿通していき、固定具１７がネジ込み部１２に対し、支柱２の長手方向と直交する方向に真っ直ぐネジ込むようにする。第６の手順として、固定具１７をネジ込み部１２に最後まで差しこみ、固定具１７のネジ頭部をエンド部材３に係止し、エンド部材３を支柱２に固定する。以上、第１〜第６の手順を経ることにより、本発明による手摺の施工が完了する。
【０００９】
本発明の手摺のエンド部材３の形状は、少なくとも湾曲状部１４が本実施のものと同様、支柱２に向けて突出するとともに、支柱２の長手方向に沿って湾曲するもの、例えばエンド部材３の全体が渦状にカーブするものや、略Ｃ字あるいは略ｂ字形状などの部分的にカーブしたものであってもよい。また、カバーを取り付けて固定具１７のネジ頭を外部から見えなくしてもよい。エンド部材３の固定は、支柱２にターンナット１８を設けることなく、支柱２内部の補強部材や支柱２に直接固定具１７を固定してエンド部材３を支柱２のネジ込み部１２に固定するものでもよい。
【図面の簡単な説明】
【００１０】
【図１】図１（ａ）は、本発明の手摺を平らな場所に取り付けた一部を切欠した正面図であり、図１（ｂ）は、本発明の手摺を傾斜した場所に取り付けた状態を示す一部を切欠した正面図である。
【図２】笠木の傾斜角度を変更したときの取り付け状態を示す分解斜視図である。
【符号の説明】
【００１１】
１  笠木
２  支柱
３  エンド部材
１４  湾曲状部
１６  長孔
１７  固定具
Ｐ  笠木の端部
【図１】
2008240280.tif 000003
【図２】
2008240280.tif 000004